(57)【要約】【課題】  本発明の目的は、コ字型冷陰極管に両側給電した場合にも、コ字型冷陰極管のちらつきを抑制することにある。【解決手段】複数のコ字型冷陰極管１０，２０を駆動する冷陰極管駆動回路であって、一次巻線Ｌ１，Ｌ２と、一次巻線Ｌ１，Ｌ２によりそれぞれ電圧が誘起され、各々がコ字型冷陰極管１０の各端部１４，１５に互いに逆極性の電圧（−Ｖ，＋Ｖ）を印加する二次巻線Ｌ５，Ｌ６と、を有する第１トランス２と；第３及び第４の一次巻線Ｌ３，Ｌ４と、第３及び第４の一次巻線Ｌ３，Ｌ４によりそれぞれ電圧が誘起され、各々がコ字型冷陰極管２０の各端部２４，２５に互いに逆極性の電圧（−Ｖ，＋Ｖ）を印加する第３及び第４の二次巻線Ｌ７，Ｌ８と、を有する第２トランス３とを備える。この冷陰極管駆動回路では、第１及び第２トランス２，３は、コ字型冷陰極管１０，２０の隣接する端部１５，２４に同位相の電圧を印加することを特徴とする。【選択図】図１
2006134663.tif 000002
【特許請求の範囲】
【請求項１】
複数のコ字型冷陰極管を駆動する冷陰極管駆動回路であって、
第１及び第２の一次巻線と、前記第１及び第２の一次巻線によりそれぞれ電圧が誘起さ
れ、各々がコ字型冷陰極管の各端部に互いに逆極性の電圧を印加する第１及び第２の二次
巻線とを有する第１トランスと、
第３及び第４の一次巻線と、前記第３及び第４の一次巻線によりそれぞれ電圧が誘起さ
れ、各々がコ字型冷陰極管の各端部に互いに逆極性の電圧を印加する第３及び第４の二次
巻線とを有する第２トランスと、
前記第１及び第２トランスを駆動する駆動回路と、を備え、
前記第２の一次巻線と第３の一次巻線とに流す電流の向きを制御することにより、前記
コ字型冷陰極管の隣接する端部に同位相の電圧を供給することを特徴とする、
冷陰極管駆動回路。
【請求項２】
複数のコ字型冷陰極管を駆動する冷陰極管駆動回路であって、
第１及び第２の一次巻線と、前記第１及び第２の一次巻線によりそれぞれ電圧が誘起さ
れ、各々がコ字型冷陰極管の各端部に互いに逆極性の電圧を印加する第１及び第２の二次
巻線とを有する第１トランスと、
第３及び第４の一次巻線と、前記第３及び第４の一次巻線によりそれぞれ電圧が誘起さ
れ、各々がコ字型冷陰極管の各端部に互いに逆極性の電圧を印加する第３及び第４の二次
巻線とを有する第２トランスと、
前記第１及び第２トランスを駆動する駆動回路と、を備え、
前記第１及び第２トランスは、前記コ字型冷陰極管の隣接する端部に同位相の電圧を印
加することを特徴とする、冷陰極管駆動回路。
【請求項３】
前記第２の一次巻線と第３の一次巻線とに流す電流の向きを制御することにより、前記
コ字型冷陰極管の隣接する端部に同位相の電圧を供給することを特徴とする、請求項２に
記載の冷陰極管駆動回路。
【発明の詳細な説明】
【技術分野】
【０００１】
本発明は、冷陰極管駆動回路、特に、複数のコ字型冷陰極管を駆動する駆動回路に関す
る。
【背景技術】
【０００２】
特許文献１には、１個或いは複数の放電管を流れる電流の全部又は一部を１個のインピ
ーダンス装置に流し、点灯回路の数に応じてインピーダンス装置のインピーダンスを変化
させる切り替え回路を備えた電流帰還型の放電灯点灯装置が記載されている。この放電灯
点灯装置によれば、予め設定された範囲内で放電管又は点灯回路の数を任意に変えても、
自動的に放電管１本当たりに流れる管電流を一定に保つことができ、放電灯の点灯が浮遊
容量の影響を受けにくい。
【０００３】
特許文献２には、２個の放電点灯を並列点灯させるに当たり、同一鉄心に巻装された２
つの２次コイルを有する発振トランスを用い、両２次コイルには互いに逆方向に直流電流
が流れるように接続し、さらに第１及び第２のインダクタンスコイルを互いに逆極性に接
続している。この放電灯点灯装置では、一方の放電灯（第１の放電灯）が先に点灯すると
、第１のインダクタンスコイルに流れ、これにより、逆極性に巻回されている第２のイン
ダクタンスコイルに誘起電圧が発生し、この誘起電圧によって第２の放電灯に高い電圧が
印加され、第２の放電灯が確実に点灯するようにしている。すなわち、一方の放電灯が先
に点灯しても、他方の放電灯に電圧を供給する２次コイルの電圧がランプ電圧まで低下す
ることを防止し、これにより、後から点灯する放電灯が点灯できない状況を防止している
。
【特許文献１】特開平８−４５６７５号公報
【特許文献２】特開昭５９−２０１３９８号公報
【発明の開示】
【発明が解決しようとする課題】
【０００４】
ところで、限られた面積で最大限の点灯面積を確保する必要性のある液晶表示装置（Ｌ
ＣＤ）のバックライトに用いられる冷陰極管には、コの字型の冷陰極管（以下、コ字型の
冷陰極管という）が用いられることが多い。コ字型の冷陰極管では、角部において他の部
分と比較して陰極線が供給され難く角部が暗くなるので、コ字型冷陰極管の両端部から両
側給電する方法が用いられている。しかしながら、コ字型の冷陰極管を複数並べて配置し
、各コ字型の冷陰極管の上部に同位相の電圧（＋Ｖ）を印加し、下部に逆位相の電圧（−
Ｖ）を印加すると、ある冷陰極管の下部と次の冷陰極管の上部とが隣接して浮遊容量が大
きく、かつ、これらの間の電位差が大きいので、浮遊容量を介してリーク電流が流れ、冷
陰極管の点灯がちらつく。このような場合には、液晶表示装置の画面がちらつく等の問題
が発生する虞がある。
【０００５】
上記特許文献１には、放電管の点灯本数が変化した場合に各放電管に流れる電流が均一
になるようにはしているものの、複数の放電管同士の隣接部分の浮遊容量の影響について
の対策は記載されていない。特許文献２においても、放電管の配置については記載されて
おらず、複数の放電管が隣接した場合の浮遊容量の影響についての対策は言及されていな
い。
【０００６】
本発明の目的は、コ字型の冷陰極管に両側給電した場合にも、コ字型の冷陰極管のちら
つきを抑制することにある。
【課題を解決するための手段】
【０００７】
第１発明に係る冷陰極管駆動回路は、複数のコ字型冷陰極管を駆動する冷陰極管駆動回
路であって、
第１及び第２の一次巻線と、前記第１及び第２の一次巻線によりそれぞれ電圧が誘起さ
れ、各々がコ字型冷陰極管の各端部に互いに逆極性の電圧を印加する第１及び第２の二次
巻線とを有する第１トランスと、
第３及び第４の一次巻線と、前記第３及び第４の一次巻線によりそれぞれ電圧が誘起さ
れ、各々がコ字型冷陰極管の各端部に互いに逆極性の電圧を印加する第３及び第４の二次
巻線とを有する第２トランスと、
前記第１及び第２トランスを駆動する駆動回路と、を備え、
前記第２の一次巻線と第３の一次巻線とに流す電流の向きを制御することにより、前記
コ字型冷陰極管の隣接する端部に同位相の電圧を供給することを特徴とする、
冷陰極管駆動回路。
【０００８】
この冷陰極管駆動回路では、コ字型冷陰極管を複数並べて配置する場合に、隣接するコ
字型冷陰極管の隣接する端部に同位相の電圧が印加されるので、コ字型冷陰極管の互いに
隣接する水平部の間では電位差が生じず、浮遊容量を介したリーク電流を抑制できる。こ
れにより、コ字型冷陰極管の点灯がちらつくことを防止できる。また、コ字型冷陰極管が
液晶表示装置のバックライトに用いられた場合には、液晶表示装置の画面のちらつきを効
果的に防止することができる。
【０００９】
この冷陰極管駆動回路では、コ字型冷陰極管の隣接する端部を駆動する第２及び第３の
一次巻線に流す電流の向きを制御することにより、一次巻線及び二次巻線の巻方向を変え
ることなく、コ字型冷陰極管の隣接する端部に印加する電圧の位相を揃えることができる
。従って、第１及び第２トランスの構造に変更を加えることなく、コ字型冷陰極管の隣接
する端部に印加する電圧の位相を揃えることができる。
【００１０】
第２発明に係る冷陰極管駆動回路は、複数のコ字型冷陰極管を駆動する冷陰極管駆動回
路であって、第１トランスと、第２トランスと、第１及び第２トランスを駆動する駆動回
路とを備えている。第１トランスは、第１及び第２の一次巻線と、前記第１及び第２の一
次巻線によりそれぞれ電圧が誘起され、各々がコ字型冷陰極管の各端部に互いに逆極性の
電圧を印加する第１及び第２の二次巻線とを有する。第２トランスは、第３及び第４の一
次巻線と、前記第３及び第４の一次巻線によりそれぞれ電圧が誘起され、各々がコ字型冷
陰極管の各端部に互いに逆極性の電圧を印加する第３及び第４の二次巻線とを有する。第
１及び第２トランスは、コ字型冷陰極管の隣接する端部に同位相の電圧を印加することを
特徴とする。
【００１１】
この冷陰極管駆動回路では、コ字型冷陰極管を複数並べて配置する場合に、隣接するコ
字型冷陰極管の隣接する端部に同位相の電圧が印加されるので、コ字型冷陰極管の互いに
隣接する水平部の間では電位差が生じず、浮遊容量を介したリーク電流を抑制できる。こ
れにより、コ字型冷陰極管の点灯がちらつくことを防止できる。また、コ字型冷陰極管が
液晶表示装置のバックライトに用いられた場合には、液晶表示装置の画面のちらつきを効
果的に防止することができる。
【００１２】
第３発明に係る冷陰極管駆動回路は、第２発明に係る冷陰極管駆動回路において、前記
第２の一次巻線と第３の一次巻線とに流す電流の向きを制御することにより、前記コ字型
冷陰極管の隣接する端部に同位相の電圧を供給することを特徴とする。
【００１３】
この冷陰極管駆動回路では、コ字型冷陰極管の隣接する端部を駆動する第２及び第３の
一次巻線に流す電流の向きを制御することにより、一次巻線及び二次巻線の巻方向を変え
ることなく、コ字型冷陰極管の隣接する端部に印加する電圧の位相を揃えることができる
。従って、第１及び第２トランスの構造に変更を加えることなく、コ字型冷陰極管の隣接
する端部に印加する電圧の位相を揃えることができる。
【発明を実施するための最良の形態】
【００１４】
・  全体構成
図１は、本発明の一実施形態に係る冷陰極管駆動回路１の電気回路図である。
【００１５】
この冷陰極管駆動回路１は、トランジスタＴｒ１及びＴｒ２と、キャパシタＣと、発振
トランス２及び３とを備えている。トランジスタＴｒ１及びＴｒ２と、キャパシタＣとが
、トランス２及び３を駆動する駆動回路として機能する。
【００１６】
トランジスタＴｒ１及びＴｒ２は、電界効果トランジスタ（ＦＥＴ）であり、交互にオ
ン／オフされることによりトランスＴｒ１及びＴｒ２を駆動する。トランジスタＴｒ１及
びＴｒ２のゲートは図示しない電源に接続されており、トランジスタＴｒ１及びＴｒ２と
電源との間には冷陰極管駆動回路１を立ち上げるためのスイッチが介装されている。具体
的には、冷陰極管駆動回路１の立ち上げ時に、スイッチをオンしてその後オフすることに
より、トランジスタＴｒ１及びＴｒ２、キャパシタＣ、並びに発振トランス２及び３から
なる回路を発振させる。この冷陰極管駆動回路１の発振により、冷陰極管駆動回路１の出
力側に接続されたコ字型の冷陰極管１０及び２０が点灯する。トランジスタＴｒ１及びＴ
ｒ２のドレインはそれぞれ、キャパシタＣの両端に接続されるとともに、発振トランス２
及び３の一次側に接続されている。トランジスタＴｒ１のドレインは、発振トランス２の
一次巻線Ｌ１の巻終わりに接続されており、トランジスタＴｒ２のドレインは、一次巻線
Ｌ１と同一方向に巻かれた一次巻線Ｌ２の巻始めに接続されている。また、トランジスタ
Ｔｒ２のドレインは、発振トランス３の一次巻線Ｌ３の巻終わりに接続されており、トラ
ンジスタＴｒ１のドレインは、一次巻線Ｌ３と同一方向に巻かれた一次巻線Ｌ４の巻始め
に接続されている。
【００１７】
発振トランス２は、一次巻線Ｌ１、Ｌ２及びＬ９と、二次巻線Ｌ５及びＬ６と、一次巻
線Ｌ１、Ｌ２及びＬ９、並びに、二次巻線Ｌ５及びＬ６が巻装されるコア４とを有してい
る。一次巻線Ｌ１、Ｌ２及びＬ９、並びに、二次巻線Ｌ５及びＬ６は、同一方向に巻装さ
れている。一次巻線Ｌ１の巻終わりはトランジスタＴｒ１のドレインに接続され、一次巻
線Ｌ２の巻始めはトランジスタＴｒ２のドレインに接続され、一次巻線Ｌ１の巻始め及び
一次巻線Ｌ２の巻終わりは電源ＶＤＤに接続されている。一次巻線Ｌ９の巻始めは抵抗Ｒ
１を介してトランジスタＴｒ１のゲートに接続されており、一次巻線Ｌ９の巻終わりは抵
抗Ｒ２を介してトランジスタＴｒ２のゲートに接続されている。二次巻線Ｌ５の巻始めは
グランドに接地されており、二次巻線Ｌ５の巻終わりは、コ字型冷陰極管１０の上側端部
１４に接続されている。二次巻線Ｌ６の巻始めは、コ字型冷陰極管１０の下側端部１５に
接続されており、二次巻線Ｌ６の巻終わりはグランドに接地されている。
【００１８】
発振トランス３は、一次巻線Ｌ３、Ｌ４及びＬ１０と、二次巻線Ｌ７及びＬ８と、一次
巻線Ｌ３、Ｌ４及びＬ１０、並びに、二次巻線Ｌ７及びＬ８が介装されるコア５とを有し
ている。一次巻線Ｌ３、Ｌ４及びＬ１０、並びに、二次巻線Ｌ７及びＬ８は、同一方向に
巻装されている。一次巻線Ｌ３の巻終わりはトランジスタＴｒ２のドレインに接続され、
一次巻線Ｌ４の巻始めはトランジスタＴｒ１のドレインに接続され、一次巻線Ｌ３の巻始
め及び一次巻線Ｌ４の巻終わりは電源ＶＤＤに接続されている。この結線では、一次巻線
Ｌ２とＬ３とには互いに逆方向の電流が流れる。従って、一次巻線Ｌ２とＬ３とには互い
に逆極性の電圧が誘起され、二次巻線Ｌ６とＬ７にも互いに逆極性の電圧が誘起される。
一次巻線Ｌ１０は未使用であり、開放されている。二次巻線Ｌ７の巻始めはグランドに接
地されており、二次巻線Ｌ７の巻終わりは、コ字型冷陰極管２０の上側端部２４に接続さ
れている。二次巻線Ｌ７の巻始めは、コ字型冷陰極管２０の下側端部２５に接続されてお
り、二次巻線Ｌ７の巻終わりはグランドに接地されている。
【００１９】
図１に示した冷陰極管１０及び２０は、例えば液晶表示装置に搭載され、バックライト
として使用される。冷陰極管１０及び２０はコ字型の冷陰極管であり、液晶表示装置に搭
載する場合には一般に図１に示すように、複数の冷陰極管が並べられて配置される。ここ
では、冷陰極管１０及び２０を上下に並べる場合について説明するが、冷陰極管１０及び
２０の互いの位置関係を保った状態であれば左右に並べた場合、即ち、図１の冷陰極管１
０及び２０の配置を時計回り又は反時計回りに９０°回転させた場合も、同様に本発明が
適用できる。
【００２０】
冷陰極管１０は、水平部１１及び１２と、水平部１１と１２とを連結する垂直部１３と
を有している。冷陰極管１０の上側端部１４には、発振トランス２の二次巻線Ｌ５の巻終
わりが接続されている。冷陰極管１０の下側端部１５には、発振トランス３の二次巻線Ｌ
６の巻始めが接続されている。
【００２１】
冷陰極管２０は、水平部２１及び２２と、水平部２１と２２とを連結する垂直部２３と
を有している。冷陰極管２０の上側端部２４には、発振トランス３の二次巻線Ｌ７の巻終
わりが接続されている。冷陰極管２０の下側端部２５には、発振トランス３の二次巻線Ｌ
８の巻始めが接続されている。
【００２２】
（２）作用効果
図１に示した冷陰極管駆動回路１では、トランジスタＴｒ１及びＴｒ２が交互にオン／
オフされることにより、発振トランス２及び３が駆動される。発振トランス２及び３では
、一次巻線Ｌ２とＬ３とに逆極性の電圧が誘起され、二次巻線Ｌ６とＬ７にも逆極性の電
圧が誘起される。ここで、二次巻線Ｌ６の巻始めが冷陰極管１０の下側端部１５に接続さ
れる一方、二次巻線Ｌ７の巻終わりが冷陰極管２０の上側端部２４に接続される。即ち、
二次巻線Ｌ６とＬ７とには逆極性の電圧が誘起されるが、二次巻線Ｌ６の巻始めと、二次
巻線Ｌ７の巻終わりとは同位相（−Ｖ）になる。従って、冷陰極管１０の下側端部１５と
冷陰極管２０の上側端部２４とは同位相（−Ｖ）となり、冷陰極管１０の水平部１２と冷
陰極管２０の水平部２１との間も同位相となる。一方、一次巻線Ｌ１とＬ４とにも逆極性
の電圧が誘起され、二次巻線Ｌ５及びＬ８に逆極性の電圧が誘起される。ここで、二次巻
線Ｌ５の巻終わりが冷陰極管１０の上側端部１４に接続される一方、二次巻線Ｌ８の巻始
めが冷陰極管２０の下側端部２５に接続される。即ち、二次巻線Ｌ５及びＬ８とには逆極
性の電圧が誘起されるが、二次巻線Ｌ５の巻終わりと二次巻線Ｌ８の巻終わりとは同位相
になる。二次巻線Ｌ５の巻終わり及び二次巻線Ｌ８の巻終わりの電圧は、二次巻線Ｌ６の
巻始め及び二次巻線Ｌ７の巻終わりの電圧とは逆極性であり＋Ｖである。
【００２３】
以上のように、この冷陰極管駆動回路１によれば、コ字型の冷陰極管１０及び２０の隣
接する水平部１２及び２１の電圧の位相が互いに等しく、水平部１２及び２１の間に電位
差が発生しない。
【００２４】
図２は、本発明に係る冷陰極管駆動回路１によって、コ字型の冷陰極管１０と２０との
間の浮遊容量Ｃｓによる影響が低減される原理を説明する説明図である。コ字型の冷陰極
管１０と２０とを上下に並べて配置する場合、図２に示すように、冷陰極管１０の下側の
水平部１２と冷陰極管２０の上側の水平部２２とが隣接し、互いに接近する。図１及び図
２に示すように配置された冷陰極管１０及び２０では、互いに接近した水平部１２と２２
との間では浮遊容量Ｃｓが非常に大きくなる。このとき、水平部１２と２２との間で電圧
の位相が揃っていないと、水平部１２と２２との間に電位差が発生する。水平部１２と２
２との間に電位差が発生すると、浮遊容量Ｃｓが非常に大きいため、水平部１２と２２と
の間で大きなリーク電流が流れ、冷陰極管１０及び２０の点灯が不安定になる。これを防
止する対策として、本発明に係る冷陰極管駆動回路１では、図２に示すように、互いに接
近する水平部１２と２２とが同位相（−Ｖ）になるように冷陰極管１０及び２０を駆動し
、水平部１２と２２との間に電位差が発生することを防止し、浮遊容量Ｃｓの値が大きく
ても水平部１２と２２との間でリーク電流が流れることを防止できる。即ち、本発明に係
る冷陰極管駆動回路１は、互いに接近する水平部１２と２２とを同位相（−Ｖ）になるよ
うに冷陰極管１０及び２０を駆動することにより、浮遊容量Ｃｓが冷陰極管１０及び２０
の点灯に与える影響を低減、防止する。これにより、冷陰極管１０及び２０の点灯を安定
させ、液晶表示装置の画面のちらつきを防止できる。
【図面の簡単な説明】
【００２５】
【図１】本発明の一実施形態に係る冷陰極管駆動回路の電気回路図。
【図２】コ字型冷陰極管の間の浮遊容量による影響低減を説明する説明図。
【符号の説明】
【００２６】
１  冷陰極管駆動回路
１０，２０  冷陰極管
１１，１２，２１，２２  水平部
１３，２３  垂直部
１４，２４  上側端部
１５，２５  下側端部
【図１】
2006134663.tif 000003
【図２】
2006134663.tif 000004